(57)【要約】【課題】フレーム内の予め決定された個数のライン単位でイメージデータをＧＲＡＭに保存し、前記保存されたイメージデータをディスプレイ部の中央ラインから表示することにより、イメージの画質を効率的に改善し、製造コストを低減する移動通信端末機におけるディスプレイ部の駆動装置及び方法。【解決手段】上記駆動装置は、1フレーム内の予め決定された個数のライン単位でイメージデータを保存するＧＲＡＭと、前記保存されたイメージデータと垂直同期信号を受信し、前記受信されたイメージデータと垂直同期信号に基づいてカラムアドレスに信号電圧を出力するカラムドライバと、前記垂直同期信号に対応する水平同期信号を受信し、前記受信された水平同期信号に基づいて前記ロウアドレスにスキャン電圧を出力する少なくとも1つ以上のロウドライバと、前記出力された信号電圧とスキャン電圧に基づいて前記イメージデータを表示するディスプレイパネルとを含む。【選択図】図1
2006163385.tif 000002
【特許請求の範囲】
【請求項１】
１フレーム内の予め決定された数のライン単位でイメージデータを保存するＧＲＡＭ（Ｇｒａｐｈｉｃ  Ｒａｎｄｏｍ  Ａｃｃｅｓｓ  Ｍｅｍｏｒｙ）と、
前記保存されたイメージデータと垂直同期信号が入力され、前記入力されたイメージデータと垂直同期信号に基づいてカラムアドレスに信号電圧を出力するカラムドライバと、
前記垂直同期信号に対応する水平同期信号が入力され、前記入力された水平同期信号に基づいてロウアドレスにスキャン電圧を出力する少なくとも１つ以上のロウドライバと、
前記出力された信号電圧とスキャン電圧に基づいて前記イメージデータを表示するディスプレイパネルと
を含むことを特徴とする移動通信端末機におけるディスプレイ部の駆動装置。
【請求項２】
前記ロウドライバは、
前記ディスプレイパネルの中央ロウアドレスから上方向に順次スキャン電圧を出力する第１ロウドライバと、
前記ディスプレイパネルの中央ロウアドレスから下方向に順次スキャン電圧を出力する第２ロウドライバとを含むことを特徴とする請求項１に記載の移動通信端末機におけるディスプレイ部の駆動装置。
【請求項３】
前記ディスプレイパネルがＮ個のロウを有するとき、前記第１ロウドライバは第１番目から第Ｎ／２番目までのロウを処理し、前記第２ロウドライバは第Ｎ／２＋１番目から第Ｎ番目までのロウを処理することを特徴とする請求項２に記載の移動通信端末機におけるディスプレイ部の駆動装置。
【請求項４】
前記第１ロウドライバと前記第２ロウドライバが少なくとも１つ以上のロウごとに交互に上／下方向に駆動されることを特徴とする請求項２に記載の移動通信端末機におけるディスプレイ部の駆動装置。
【請求項５】
前記第１ロウドライバと前記第２ロウドライバが少なくとも１つ以上のロウごとに交互に下／上方向に駆動されることを特徴とする請求項２に記載の移動通信端末機のディスプレイ部の駆動装置。
【請求項６】
前記予め決定された個数のライン単位は、
少なくとも１つ以上のラインであることを特徴とする請求項１に記載の移動通信端末機におけるディスプレイ部の駆動装置。
【請求項７】
前記ディスプレイパネルは、
ＬＣＤ（Ｌｉｑｕｉｄ  Ｃｒｙｓｔａｌ  Ｄｉｓｐｌａｙ）、有機ＥＬ（Ｅｌｅｃｔｒｏ−Ｌｕｍｉｎｅｓｃｅｎｃｅ）、ＰＤＰ（Ｐｌａｓｍａ  Ｄｉｓｐｌａｙ  Ｐａｎｅｌ）のうちいずれか１つであることを特徴とする請求項１に記載の移動通信端末機におけるディスプレイ部の駆動装置。
【請求項８】
１フレーム内の予め決定された数のライン単位でイメージデータをＧＲＡＭに保存する段階と、
カラムドライバが前記保存されたイメージデータと垂直同期信号が入力され、前記入力されたイメージデータと垂直同期信号に基づいてカラムアドレスに信号電圧を出力する段階と、
少なくとも１つ以上のロウドライバが前記垂直同期信号に対応する水平同期信号が入力され、前記入力された水平同期信号に基づいてロウアドレスにスキャン電圧を出力する段階と、
前記出力された信号電圧とスキャン電圧に基づいて前記ディスプレイパネルに前記イメージデータを表示する段階と
を含むことを特徴とする移動通信端末機におけるディスプレイ部の駆動方法。
【請求項９】
前記スキャン電圧を出力する段階は、
第１ロウドライバが前記ディスプレイパネルの中央ロウアドレスから上方向に順次スキャン電圧を出力する段階と、
第２ロウドライバが前記ディスプレイパネルの中央ロウアドレスから下方向に順次スキャン電圧を出力する段階とを含むことを特徴とする請求項８に記載の移動通信端末機におけるディスプレイ部の駆動方法。
【請求項１０】
前記ディスプレイパネルがＮ個のロウを有するとき、前記第１ロウドライバが第１番目から第Ｎ／２番目までのロウを処理し、前記第２ロウドライバが第Ｎ／２＋１番目から第Ｎ番目までのロウを処理することを特徴とする請求項９に記載の移動通信端末機におけるディスプレイ部の駆動方法。
【請求項１１】
前記第１ロウドライバと前記第２ロウドライバが少なくとも１つ以上のロウごとに交互に上／下方向に駆動されることを特徴とする請求項９に記載の移動通信端末機におけるディスプレイ部の駆動方法。
【請求項１２】
前記第１ロウドライバと前記第２ロウドライバが少なくとも１つ以上のロウごとに交互に下／上向に駆動されることを特徴とする請求項９に記載の移動通信端末機のディスプレイ部の駆動方法。
【請求項１３】
前記予め決定されたライン単位は、
少なくとも１つ以上のラインであることを特徴とする請求項８に記載の移動通信端末機におけるディスプレイ部の駆動方法。
【請求項１４】
前記ディスプレイパネルは、
ＬＣＤ、有機ＥＬ、ＰＤＰのうちいずれか１つであることを特徴とする請求項８に記載の移動通信端末機におけるディスプレイ部の駆動方法。
【発明の詳細な説明】
【技術分野】
【０００１】
本発明は、移動通信端末機に関し、特に、イメージの画質（Ｉｍａｇｅ  Ｑｕａｌｉｔｙ）を効率的に改善できる移動通信端末機におけるディスプレイ部の駆動装置及びその方法に関する。
【背景技術】
【０００２】
一般に、移動通信端末機は、基地局（Ｂａｓｅ  Ｓｔａｔｉｏｎ）により形成されるサービスエリア内で移動中に、ＭＳＣ（Ｍｏｂｉｌｅ  Ｓｗｉｔｃｈｉｎｇ  Ｃｅｎｔｅｒ）のスイッチング制御によりいつでもどこでも直ちに無線呼び出し及び無線接続して相手との通信が可能な装置であり、音声通信だけでなく記号、数字、文字などからなるデータの通信及びイメージ信号を含むマルチメディアの通信も可能である。特に、静止画像や動画像を撮影できるカメラ及び大型ディスプレイ装置を装着することにより、イメージを表示するディスプレイ装置の性能と画質に対する使用者の関心がより高くなっている。
【０００３】
前記移動通信端末機は、前記ディスプレイ装置としてＬＣＤ（Ｌｉｑｕｉｄ  Ｃｒｙｓｔａｌ  Ｄｉｓｐｌａｙ）を使用し、前記ＬＣＤは、マトリックス状に配列された画素（Ｐｉｘｅｌｓ）に各種イメージデータ（Ｉｍａｇｅ  Ｄａｔａ）を視覚的に表示するために一定の規則に従って制御される。このような従来技術に係る移動通信端末機におけるディスプレイ部の駆動装置を図５を参照して説明する。
【０００４】
図５は、従来技術に係る移動通信端末機におけるディスプレイ部の駆動装置を示す図である。
【０００５】
図５に示すように、従来技術に係る移動通信端末機におけるディスプレイ部の駆動装置は、入力されたイメージデータを保存するメモリ２００と、前記保存されたイメージデータと同期信号（Ｓｙｎｃｈｒｏｎｉｚａｔｉｏｎ  Ｓｉｇｎａｌ）が入力され、前記入力されたイメージデータと同期信号を出力する制御部（Ｃｏｎｔｒｏｌｌｅｒ）１００と、前記出力されたイメージデータを１フレーム単位で保存するＧＲＡＭ（Ｇｒａｐｈｉｃ  Ｒａｎｄｏｍ  Ａｃｃｅｓｓ  Ｍｅｍｏｒｙ）３００と、前記保存されたイメージデータと同期信号が入力され、前記入力されたイメージデータと同期信号に基づいてカラムアドレスに信号電圧を出力するカラムドライバ（Ｃｏｌｕｍｎ  Ｄｒｉｖｅｒ）４００と、前記出力された信号電圧に対応するロウアドレスに前記入力された同期信号に基づいてスキャン電圧を出力するロウドライバ（Ｒｏｗ  Ｄｒｉｖｅｒ）５００と、該ロウドライバ５００から出力されたスキャン電圧とカラムドライバ４００から出力された信号電圧とに基づいて前記入力されたイメージデータを表示するディスプレイパネル（Ｄｉｓｐｌａｙ  Ｐａｎｅｌ）６００とを含む。ここで、前記同期信号は、カラムドライバ４００に入力される垂直同期信号（Ｖｅｒｔｉｃａｌ  Ｓｙｎｃｈｒｏｎｉｚａｔｉｏｎ  Ｓｉｇｎａｌ）とロウドライバ５００に入力される水平同期信号（Ｈｏｒｉｚｏｎｔａｌ  Ｓｙｎｃｈｒｏｎｉｚａｔｉｏｎ  Ｓｉｇｎａｌ）である。
【０００６】
以下、このような従来技術に係る移動通信端末機におけるディスプレイ部の駆動装置を詳細に説明する。
【０００７】
まず、制御部１００は、前記移動通信端末機の各種機能を制御及び監視する各種  運用情報（Ｏｐｅｒａｔｉｏｎ  Ｉｎｆｏｒｍａｔｉｏｎ）を出力し、ＳＭＳ（Ｓｈｏｒｔ  Ｍｅｓｓａｇｅ  Ｓｅｒｖｉｃｅ）メッセージ及びＭＭＳ（Ｍｕｌｔｉｍｅｄｉａ  Ｍｅｓｓａｇｅ  Ｓｅｒｖｉｃｅ）メッセージなどのメッセージやイメージデータをＧＲＡＭ３００に出力すると共に、垂直同期信号と水平同期信号を出力する。
【０００８】
ＧＲＡＭ３００は、制御部１００から１フレーム単位で提供されたイメージデータを受信して保存し、前記保存されたイメージデータをカラムドライバ４００に出力する。ここで、１７６×２４０画素の解像度を有して１つの画素が１８ビットであるディスプレイパネル６００を仮定すると、前記イメージデータを保存するＧＲＡＭ３００は、１フレーム単位で提供されたイメージデータを保存するために１７６×２４０×１８ビット、すなわち、７６０，３２０ビット以上の容量でなければならない。
【０００９】
カラムドライバ４００は、ＧＲＡＭ３００から受信されたフレーム単位のイメージデータをカラムアドレスの順に前記入力された垂直同期信号によってディスプレイパネル６００の垂直方向に出力する。ここで、カラムドライバ４００は、ディスプレイパネル６００のカラム電極（Ｃｏｌｕｍｎ  Ｅｌｅｃｔｒｏｄｅ）６１０を駆動し、該カラム電極６１０を介して実際にディスプレイパネル６００の各画素にイメージデータ、すなわち、信号電圧を印加する役割をする。
【００１０】
ロウドライバ５００は、カラムドライバ４００によりディスプレイパネル６００の垂直方向に出力されるフレーム単位のイメージデータを、ロウアドレスの順に前記入力された水平同期信号に基づいて水平方向に分散させる。ここで、ロウドライバ５００は、ロウ電極（Ｒｏｗ  Ｅｌｅｃｔｒｏｄｅ）６２０を駆動し、該ロウ電極６２０を順次選択するスキャン信号を発生する役割をする。
【００１１】
ディスプレイパネル６００は、カラム電極６１０とロウ電極６２０が交差する画素単位で構成されているため、カラム電極６１０に信号電圧を入力するカラムドライバ４００とロウ電極６２０にスキャン電圧を入力するロウドライバ５００により前記イメージデータを表示することができる。
【００１２】
以下、このように従来技術に係る移動通信端末機のディスプレイ部にイメージデータを表示する方向及び順序を図６を参照して説明する。
【００１３】
図６は、従来技術に係る移動通信端末機のディスプレイ部にイメージデータを表示する方向及び順序を説明するための図である。
【００１４】
図６に示すように、従来技術に係る移動通信端末機のディスプレイ部は、左側上段の１番目のカラムアドレス００１から右側上段の最後のカラムアドレス１７６まで横方向に１７６個の画素を駆動するが、このときのロウアドレスは００１である。その後、ロウアドレスが００２であるカラムアドレス００１からカラムアドレス１７６まで横方向に１７６個の画素を駆動する動作をロウアドレス２４０  まで繰り返すことにより、１フレーム単位の全てのイメージデータを順次表示できることが分かる。
【００１５】
以下、このようにディスプレイパネルのロウ電極に入力されるスキャン電圧のタイミング状態を図７を参照して説明する。
【００１６】
図７は、従来技術に係るディスプレイパネルのロウ電極に入力されるスキャン電圧のタイミング状態を示す図である。
【００１７】
図７に示すように、従来技術に係るディスプレイパネルのロウドライバ５００は、ライン・バイ・ライン（ｌｉｎｅ  ｂｙ  ｌｉｎｅ）形式で駆動されるため、水平同期信号に基づいてロウアドレス００１からロウアドレス２４０までスキャン電圧をディスプレイパネルのロウ電極に順次出力することが分かる。
【００１８】
しかしながら、従来技術に係る移動通信端末機のディスプレイ部の制御装置は、ライン・バイ・ライン形式で最上段に位置するラインからディスプレイパネルを駆動するため、伝送率制御によってビットが不足すると、中央領域の後部、すなわち、中央領域の下部が中央領域の上部に比べて相対的に画質が低下するという問題があった。
【発明の開示】
【発明が解決しようとする課題】
【００１９】
本発明の目的は、フレーム内の予め決定された数のライン単位でイメージデータをＧＲＡＭに保存し、前記保存されたイメージデータをディスプレイ部の中央ラインから表示することにより、イメージ画質を効率的に改善できる移動通信端末機におけるディスプレイ部の駆動装置及びその方法を提供することにある。
【００２０】
本発明の他の目的は、フレーム内の予め決定された個数のライン単位でイメージデータをＧＲＡＭに保存し、前記保存されたイメージデータをディスプレイ部の中央ラインから表示することにより、製造コストを低減できる移動通信端末機におけるディスプレイ部の駆動装置及びその方法を提供することにある。
【課題を解決するための手段】
【００２１】
このような目的を達成するために、本発明に係る移動通信端末機におけるディスプレイ部の駆動装置は、１フレーム内の予め決定された個数のライン単位でイメージデータを保存するＧＲＡＭと、前記保存されたイメージデータと垂直同期信号を受信し、前記受信されたイメージデータと垂直同期信号に基づいてカラムアドレスに信号電圧を出力するカラムドライバと、前記垂直同期信号に対応する水平同期信号を受信し、前記受信された水平同期信号に基づいて前記ロウアドレスにスキャン電圧を出力する少なくとも１つ以上のロウドライバと、前記出力された信号電圧とスキャン電圧に基づいて前記イメージデータを表示するディスプレイパネルとを含むことを特徴とする。
【００２２】
このような目的を達成するために、本発明に係る移動通信端末機におけるディスプレイ部の駆動方法は、１フレーム内の予め決定された数のライン単位でイメージデータをＧＲＡＭに保存する段階と、カラムドライバが前記保存されたイメージデータと垂直同期信号を受信し、前記受信されたイメージデータと垂直同期信号に基づいてカラムアドレスに信号電圧を出力する段階と、少なくとも１つ以上のロウドライバが前記垂直同期信号に対応する水平同期信号を受信し、前記受信された水平同期信号に基づいて前記ロウアドレスにスキャン電圧を出力する段階と、前記出力された信号電圧とスキャン電圧に基づいて前記ディスプレイパネルに前記イメージデータを表示する段階とを含むことを特徴とする。
【００２３】
・（項目１）  １フレーム内の予め決定された数のライン単位でイメージデータを保存するＧＲＡＭ（Ｇｒａｐｈｉｃ  Ｒａｎｄｏｍ  Ａｃｃｅｓｓ  Ｍｅｍｏｒｙ）と、
上記保存されたイメージデータと垂直同期信号が入力され、上記入力されたイメージデータと垂直同期信号に基づいてカラムアドレスに信号電圧を出力するカラムドライバと、
上記垂直同期信号に対応する水平同期信号が入力され、上記入力された水平同期信号に基づいてロウアドレスにスキャン電圧を出力する少なくとも１つ以上のロウドライバと、
上記出力された信号電圧とスキャン電圧に基づいて上記イメージデータを表示するディスプレイパネルと
を含むことを特徴とする移動通信端末機におけるディスプレイ部の駆動装置。
・（項目２）  上記ロウドライバは、
上記ディスプレイパネルの中央ロウアドレスから上方向に順次スキャン電圧を出力する第１ロウドライバと、
上記ディスプレイパネルの中央ロウアドレスから下方向に順次スキャン電圧を出力する第２ロウドライバとを含むことを特徴とする項目１に記載の移動通信端末機におけるディスプレイ部の駆動装置。
・（項目３）  上記ディスプレイパネルがＮ個のロウを有するとき、上記第１ロウドライバは第１番目から第Ｎ／２番目までのロウを処理し、上記第２ロウドライバは第Ｎ／２＋１番目から第Ｎ番目までのロウを処理することを特徴とする項目２に記載の移動通信端末機におけるディスプレイ部の駆動装置。
・（項目４）  上記第１ロウドライバと上記第２ロウドライバが少なくとも１つ以上のロウごとに交互に上／下方向に駆動されることを特徴とする項目２に記載の移動通信端末機におけるディスプレイ部の駆動装置。
・（項目５）  上記第１ロウドライバと上記第２ロウドライバが少なくとも１つ以上のロウごとに交互に下／上方向に駆動されることを特徴とする項目２に記載の移動通信端末機のディスプレイ部の駆動装置。
・（項目６）  上記予め決定された個数のライン単位は、
少なくとも１つ以上のラインであることを特徴とする項目１に記載の移動通信端末機におけるディスプレイ部の駆動装置。
・（項目７）  上記ディスプレイパネルは、
ＬＣＤ（Ｌｉｑｕｉｄ  Ｃｒｙｓｔａｌ  Ｄｉｓｐｌａｙ）、有機ＥＬ（Ｅｌｅｃｔｒｏ−Ｌｕｍｉｎｅｓｃｅｎｃｅ）、ＰＤＰ（Ｐｌａｓｍａ  Ｄｉｓｐｌａｙ  Ｐａｎｅｌ）のうちいずれか１つであることを特徴とする項目１に記載の移動通信端末機におけるディスプレイ部の駆動装置。
・（項目８）  １フレーム内の予め決定された数のライン単位でイメージデータをＧＲＡＭに保存する段階と、
カラムドライバが上記保存されたイメージデータと垂直同期信号が入力され、上記入力されたイメージデータと垂直同期信号に基づいてカラムアドレスに信号電圧を出力する段階と、
少なくとも１つ以上のロウドライバが上記垂直同期信号に対応する水平同期信号が入力され、上記入力された水平同期信号に基づいてロウアドレスにスキャン電圧を出力する段階と、
上記出力された信号電圧とスキャン電圧に基づいて上記ディスプレイパネルに上記イメージデータを表示する段階と
を含むことを特徴とする移動通信端末機におけるディスプレイ部の駆動方法。
・（項目９）  上記スキャン電圧を出力する段階は、
第１ロウドライバが上記ディスプレイパネルの中央ロウアドレスから上方向に順次スキャン電圧を出力する段階と、
第２ロウドライバが上記ディスプレイパネルの中央ロウアドレスから下方向に順次スキャン電圧を出力する段階とを含むことを特徴とする項目８に記載の移動通信端末機におけるディスプレイ部の駆動方法。
・（項目１０）  上記ディスプレイパネルがＮ個のロウを有するとき、上記第１ロウドライバが第１番目から第Ｎ／２番目までのロウを処理し、上記第２ロウドライバが第Ｎ／２＋１番目から第Ｎ番目までのロウを処理することを特徴とする項目９に記載の移動通信端末機におけるディスプレイ部の駆動方法。
・（項目１１）  上記第１ロウドライバと上記第２ロウドライバが少なくとも１つ以上のロウごとに交互に上／下方向に駆動されることを特徴とする項目９に記載の移動通信端末機におけるディスプレイ部の駆動方法。
・（項目１２）  上記第１ロウドライバと上記第２ロウドライバが少なくとも１つ以上のロウごとに交互に下／上向に駆動されることを特徴とする項目９に記載の移動通信端末機のディスプレイ部の駆動方法。
・（項目１３）  上記予め決定されたライン単位は、
少なくとも１つ以上のラインであることを特徴とする項目８に記載の移動通信端末機におけるディスプレイ部の駆動方法。
・（項目１４）  上記ディスプレイパネルは、
ＬＣＤ、有機ＥＬ、ＰＤＰのうちいずれか１つであることを特徴とする項目８に記載の移動通信端末機におけるディスプレイ部の駆動方法。
【発明の効果】
【００２４】
本発明に係る移動通信端末機におけるディスプレイ部の駆動装置及びその方法は、フレーム内の予め決定された数のライン単位でイメージデータをＧＲＡＭに保存し、前記保存されたイメージデータをディスプレイ部の中央ラインから表示することにより、人の視覚的特性に応じて画面の中央領域のエラーを減らすことができるため、イメージの画質を効率的に改善できるという効果がある。
【００２５】
また、本発明に係る移動通信端末機におけるディスプレイ部の駆動装置及びその方法は、フレーム内の予め決定された個数のライン単位でイメージデータをＧＲＡＭに保存し、前記保存されたイメージデータをディスプレイ部の中央ラインから表示することにより、イメージデータを保存するＧＲＡＭの容量を減少させるため、製造コストを低減できるという効果がある。
【発明を実施するための最良の形態】
【００２６】
以下、フレーム内の予め決定された個数のライン単位でイメージデータをＧＲＡＭに保存し、前記保存されたイメージデータをディスプレイ部の中央ラインから表示することにより、イメージの画質を効率的に改善でき、製造コストを低減できる本発明に係る移動通信端末機におけるディスプレイ部の駆動装置及びその方法の好ましい実施形態を図面を参照して説明する。また、本発明に係る移動通信端末機のディスプレイ部の駆動装置及びその方法は、カラム電極とロウ電極が交差するマトリックス状の構造を有する全てのディスプレイパネルに適用できる。
【００２７】
図１は、本発明に係る移動通信端末機におけるディスプレイ部の駆動装置を示す図である。
【００２８】
図１に示すように、本発明に係る移動通信端末機におけるディスプレイ部の駆動装置は、入力されたイメージデータを保存するメモリ２００と、前記保存されたイメージデータと同期信号が入力され、前記入力されたイメージデータと同期信号を出力する制御部１００と、前記出力されたイメージデータをフレーム内の予め決定された数のライン単位で保存するＧＲＡＭ３００と、前記保存されたイメージデータと同期信号が入力され、前記入力されたイメージデータと同期信号に基づいてカラムアドレスに信号電圧を出力するカラムドライバ４００と、前記出力された信号電圧のロウアドレスに前記入力された同期信号に基づいてスキャン電圧を出力する少なくとも１つ以上のロウドライバ５００と、該ロウドライバ５００から出力されたスキャン電圧とカラムドライバ４００から出力された信号電圧とに基づいて前記入力されたイメージデータを表示するディスプレイパネル６００とを含む。ここで、前記同期信号は、カラムドライバ４００に入力される垂直同期信号とロウドライバ５００に入力される水平同期信号である。
【００２９】
このように構成された本発明に係る移動通信端末機におけるディスプレイ部の駆動方法を図２を参照して説明する。
【００３０】
図２は、本発明に係る移動通信端末機におけるディスプレイ部の駆動方法を示すフローチャートである。
【００３１】
図２に示すように、本発明に係る移動通信端末機におけるディスプレイ部の駆動方法は、フレーム内の予め決定された数のライン単位でイメージデータをＧＲＡＭに保存する段階（Ｓ５００）と、前記保存されたイメージデータと垂直同期信号をカラムドライバに提供する段階（Ｓ５１０）と、前記提供された垂直同期信号に対応する水平同期信号を少なくとも１つ以上のロウドライバに提供する段階（Ｓ５２０）と、前記提供された垂直同期信号と水平同期信号に基づいて前記ディスプレイパネルに前記イメージデータを出力する段階（Ｓ５３０）とを含む。ここで、前記ロウドライバは、ディスプレイパネルの中央ラインに該当するイメージデータを先に処理してから上方向に移動する第１カラムドライバと、ディスプレイパネルの中央ラインに該当するイメージデータを先に処理してから下方向に移動する第２カラムドライバである。
【００３２】
以下、このような本発明に係る移動通信端末機におけるディスプレイ部の駆動方法を詳細に説明する。
【００３３】
まず、制御部１００は、前記移動通信端末機の各機能を制御及び監視する各種運用情報を出力し、ＳＭＳメッセージ及びＭＭＳメッセージなどのメッセージ、イメージデータをＧＲＡＭ３００に出力すると共に、垂直同期信号と水平同期信号を出力する。
【００３４】
ＧＲＡＭ３００は、制御部１００から１フレーム内の予め決定された個数のライン単位で提供されたイメージデータを受信して保存し（Ｓ５００）、前記保存されたイメージデータをカラムドライバ４００に提供する。このようにイメージデータを保存するＧＲＡＭ３００の容量を、１７６×２４０画素の解像度を有して１つの画素が１８ビットであるディスプレイパネル６００を仮定して説明する。
【００３５】
ＧＲＡＭ３００は、１フレーム単位で提供されたイメージデータを保存するために、１７６×２４０×１８ビット、すなわち、７６０，３２０ビット以上の容量でなければならないが、１フレーム内の１ライン単位で提供されたイメージデータを保存するためには、１７６×１８ビット、すなわち、３，１６８ビット以上の容量であれば良く、１フレーム内の２ライン単位で提供されたイメージデータを保存するためには、１７６×２×１８ビット、すなわち、６，３３６ビット以上の容量であれば良いため、イメージデータを一時保存するＧＲＡＭ３００の容量を減少させることができる。
【００３６】
カラムドライバ４００は、前記保存されたイメージデータと垂直同期信号が提供される（Ｓ５１０）。すなわち、カラムドライバ４００は、ＧＲＡＭ３００から受信したフレーム単位のイメージデータをカラムアドレスの順に前記入力された垂直同期信号によってディスプレイパネル６００の垂直方向に出力する。ここで、カラムドライバ４００は、ディスプレイパネル６００のカラム電極６１０を駆動し、該カラム電極６１０を介して実際にディスプレイパネル６００の各画素にイメージデータ、すなわち、信号電圧を印加する役割をする。
【００３７】
ロウドライバ５００は、前記提供された垂直同期信号に対応する水平同期信号が提供される（Ｓ５２０）。すなわち、ロウドライバ５００は、カラムドライバ４００によりディスプレイパネル６００の垂直方向に出力されるフレーム単位のイメージデータをロウアドレスの予め決定された順に、前記入力された水平同期信号に基づいてディスプレイパネル６００の水平方向に分散させる。ここで、ロウドライバ５００は、ロウ電極６２０を駆動し、該ロウ電極６２０を順次選択するスキャン信号を発生する役割をする。
【００３８】
ここで、ロウドライバ５００は、ロウアドレスを２等分してディスプレイパネル６００の中央ラインに該当するイメージデータを先に処理してから上方向に移動する第１ロウドライバ５１０と、ディスプレイパネル６００の中央ラインに該当するイメージデータを先に処理してから下方向に移動する第２ロウドライバ５２０とから構成される。
【００３９】
以下、このように本発明に係る移動通信端末機のディスプレイ部にイメージデータを交互に上／下に表示する方向と順序を図３及び図４を参照して説明する。
【００４０】
図３は、本発明に係る移動通信端末機のディスプレイ部にイメージデータを表示する方向と順序を説明するための図である。
【００４１】
図３に示すように、本発明に係る移動通信端末機のディスプレイ部は、ロウアドレスを２等分して、上段ラインを第１ロウドライバ５１０により、下段ラインを第２ロウドライバ５２０により１つのロウアドレスごとに交互に上／下又は下／上の方向に駆動する。すなわち、第１ロウドライバ５１０は、ディスプレイパネルの中央ライン、すなわち、ロウアドレス１２０に該当するイメージデータを処理し、第２ロウドライバ５２０は、ディスプレイパネルの中央ライン、すなわち、ロウアドレス１２１に該当するイメージデータを処理し、その後、第１ロウドライバ５１０は上方向に移動してロウアドレス００１まで１２０のラインを、第２ロウドライバ５２０は下方向に移動してロウアドレス２４０まで１２０のラインを交互に駆動できることが分かる。
【００４２】
ここで、ＧＲＡＭ３００は、１フレーム内の１ライン単位で提供されたイメージデータを保存するためには１７６×１８ビット、すなわち、３，１６８ビット以上の容量であることが好ましい。
【００４３】
また、本発明に係る移動通信端末機のディスプレイ部は、ロウアドレスを２等分して上段ラインを第１ロウドライバ５１０により、下段ラインを第２ロウドライバ５２０により２つのロウアドレスごとに交互に上／下方向に駆動することもできる。すなわち、第１ロウドライバ５１０はディスプレイパネルの中央ライン、すなわち、ロウアドレス１２０、１１９に該当するイメージデータを処理し、第２ロウドライバ５２０は、ディスプレイパネルの中央ライン、すなわち、ロウアドレス１２１、１２２に該当するイメージデータを処理し、その後、第１ロウドライバ５１０は上方向に移動してロウアドレス００１まで１２０のラインを、第２ロウドライバ５２０は下方向に移動してロウアドレス２４０まで１２０のラインを交互に駆動することもできる。
【００４４】
ここで、ＧＲＡＭ３００は、１フレーム内の２ライン単位で提供されたイメージデータを保存するためには１７６×２×１８ビット、すなわち、６，３３６ビット以上の容量であることが好ましい。
【００４５】
以下、このようにディスプレイパネルのロウ電極に入力されるスキャン電圧のタイミング状態を図４Ａ〜図４Ｄを参照して説明する。
【００４６】
図４Ａ〜図４Ｄは、本発明に係るディスプレイパネルのロウ電極に入力されるスキャン電圧のタイミング状態を示す図である。
【００４７】
図４Ａ、図４Ｂに示すように、本発明に係る移動通信端末機のディスプレイ部は、ロウアドレスを２等分して上段ラインを第１ロウドライバ５１０により、下段ラインを第２ロウドライバ５２０により１つのロウアドレスごとに交互に上／下又は下／上の方向に駆動するため、ロウアドレス００１からロウアドレス２４０までスキャン電圧をディスプレイパネルの１つのロウ電極ごとに交互に上／下又は下／上の方向に出力することが分かる。
【００４８】
図４Ｃ、図４Ｄに示すように、本発明に係る移動通信端末機のディスプレイ部は、ロウアドレスを２等分して上段ラインを第１ロウドライバ５１０により、下段ラインを第２ロウドライバ５２０により２つのロウアドレスごとに交互に上／下又は下／上の方向に駆動するため、ロウアドレス００１からロウアドレス２４０までスキャン電圧をディスプレイパネルの２つのロウ電極ごとに交互に上／下又は下／上の方向に出力することが分かる。
【００４９】
本発明に係る移動通信端末機のディスプレイ部は、ロウアドレスを２等分して上段ラインを第１ロウドライバ５１０により、下段ラインを第２ロウドライバ５２０により少なくとも１つ以上のロウアドレスごとに交互に上／下又は下／上の方向に駆動することもできる。
【００５０】
結局、ディスプレイパネル６００は、カラム電極６１０とロウ電極６２０が交差する画素単位で構成され、カラム電極６１０に信号電圧を入力するカラムドライバ４００とロウ電極６２０に交互にスキャン電圧を入力する第１ロウドライバ５１０及び第２ロウドライバ５２０により前記イメージデータを表示できる（Ｓ５３０）。
【００５１】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００５２】
【図１】本発明に係る移動通信端末機におけるディスプレイ部の駆動装置を示す図である。
【図２】本発明に係る移動通信端末機におけるディスプレイ部の駆動方法を示すフローチャートである。
【図３】本発明に係る移動通信端末機のディスプレイ部にイメージデータを表示する方向と順序を説明するための図である。
【図４Ａ】本発明に係るディスプレイパネルのロウ電極に入力されるスキャン電圧のタイミング状態を示す図である。
【図４Ｂ】本発明に係るディスプレイパネルのロウ電極に入力されるスキャン電圧のタイミング状態を示す図である。
【図４Ｃ】本発明に係るディスプレイパネルのロウ電極に入力されるスキャン電圧のタイミング状態を示す図である。
【図４Ｄ】本発明に係るディスプレイパネルのロウ電極に入力されるスキャン電圧のタイミング状態を示す図である。
【図５】従来技術に係る移動通信端末機におけるディスプレイ部の駆動装置を示す図である。
【図６】従来技術に係る移動通信端末機のディスプレイ部にイメージデータを表示する方向と順序を説明するための図である。
【図７】従来技術に係るディスプレイパネルのロウ電極に入力されるスキャン電圧のタイミング状態を示す図である。
【符号の説明】
【００５３】
１００：制御部
２００：メモリ
３００：ＧＲＡＭ（Ｇｒａｐｈｉｃ  Ｒａｎｄｏｍ  Ａｃｃｅｓｓ  Ｍｅｍｏｒｙ）
４００：カラムドライバ
５００：ロウドライバ
５１０：第１ロウドライバ
５２０：第２ロウドライバ
６００：ディスプレイパネル
６１０：カラム電極
６２０：ロウ電極
【図１】
2006163385.tif 000003
【図２】
2006163385.tif 000004
【図３】
2006163385.tif 000005
【図４Ａ】
2006163385.tif 000006
【図４Ｂ】
2006163385.tif 000007
【図４Ｃ】
2006163385.tif 000008
【図４Ｄ】
2006163385.tif 000009
【図５】
2006163385.tif 000010
【図６】
2006163385.tif 000011
【図７】
2006163385.tif 000012